(57)【要約】      （修正有）【課題】複数の異なる数字や符号を備えるゴルフクラブヘッドカバーの番号表示器を提供する。【解決手段】ゴルフクラブのヘッドカバーに連結させる連接装置４を含み、番号表示窓５が開口した正面と裏面とを有するケース１からなるゴルフクラブヘッドカバー用スライド式番号表示器であって、前記ケースの内部に間欠的に回転できる円盤６および円盤に連結されるスライド機構と逆止機構が設けられ、円盤上には複数の異なる番号が付され、各番号は円盤の周方向に分布しており、円盤が間欠的に回転するとき、各番号が順番に１つずつケースの番号表示窓を通って表示されることを特徴とするゴルフクラブヘッドカバー用スライド式番号表示器。【選択図】図１
0003135976.tif 000002
【実用新案登録請求の範囲】
【請求項１】
ゴルフクラブのヘッドカバーに連結させる連接装置を含み、番号表示窓が開口した正面と裏面とを有するケースからなるゴルフクラブヘッドカバー用スライド式番号表示器であって、前記ケースの内部に間欠的に回転できる円盤および円盤に連結されるスライド機構と逆止機構が設けられ、円盤上には複数の異なる番号が付され、各番号は円盤の周方向に分布しており、円盤が間欠的に回転するとき、各番号が順番に１つずつケースの番号表示窓を通って表示されることを特徴とするゴルフクラブヘッドカバー用スライド式番号表示器。
【請求項２】
前記円盤に連結されるスライド機構がリセット可能なスライドレバーおよび互いに嵌合するラチェットとラチェット輪を含み、スライドレバーの外側端がケース側面のスライド溝から伸出し、スライドレバーの内側端が連結ピンとラチェット上のピン穴により固定連結され、スライドレバーとラチェットからなる組立品が回転柱の回りを回転し、スライドレバーには前記回転柱に穿通するための回転柱用穴があり、スライドレバーとラチェットからなる組立品にリセットのための捩りバネが設けられ、該捩りバネの一端がラチェットの捩りバネ固定端に固定され、他方の一端がスライドレバーの回転柱に巻付けられ、ラチェット輪が円盤の中心に固定され、ラチェットと円盤との間に固定用隔板が設けられていることを特徴とする請求項１記載のゴルフクラブヘッドカバー用スライド式番号表示器。
【請求項３】
前記円盤に連結される逆止機構は、周方向に固定される逆止輪を含み、該逆止輪の前端とケース正面との間にスプリングが設けられ、後端と前記ラチェット輪の前端との間が歯形構造により噛み合うことを特徴とする請求項１記載のゴルフクラブヘッドカバー用スライド式番号表示器。
【請求項４】
前記ケースは前カバーと後カバーとを組み合わせて構成され、前カバーに番号表示窓が設けられ、前カバーと後カバーとがネジで連結されることを特徴とする請求項１〜３のいずれか１項記載のゴルフクラブヘッドカバー用スライド式番号表示器。
【請求項５】
前記ケース上にあってゴルフクラブヘッドカバーに連結される連接装置は、布片を穿通させてゴルフクラブのヘッドカバーに結び付けるための長孔であることを特徴とする請求項１〜３のいずれか１項記載のゴルフクラブヘッドカバー用スライド式番号表示器。
【考案の詳細な説明】
【技術分野】
【０００１】
本考案はゴルフクラブのヘッドカバーに用いる番号表示器に関し、特に表示する番号を必要に応じて変更できる番号表示器に関する。
【背景技術】
【０００２】
ヘッドカバーを使ってゴルフクラブを保護することは、プレーヤーが常用する手段である。特にウッドは通常、１番、３番、５番およびパターＸ番と分かれ、値段が高価であるため、使用しないでクラブケースに放置する際には、適切な管理を要する。従来におけるゴルフクラブのカバーは、通常ヘッドカバーと本体カバーからなり、ヘッドカバーはネルなどの良質な材料で縫製され、本体カバーは弾力性のある材質で長筒形に作製され、これによりクラブ全体を保護している。
【考案の開示】
【考案が解決しようとする課題】
【０００３】
ヘッドカバーでゴルフクラブをカバーする場合、ヘッド全体が覆われてしまうため、クラブの番号が見えなくなる。そこで、カバー上面に数字や英字を刺繍して、当該カバーをその番号の専用カバーにする方法がある。しかしこの方法では、いずれのカバーも専用カバーとなって、別のクラブには使えなくなるため利便的ではない。
【０００４】
さらに、カバー上部に布片で番号ラベルを連結する方法がある。番号の数字や符号を見れば、覆われたクラブの番号が分かる。この方法はカバーに異なる番号ラベルを連結することによって、カバーをどのクラブにも使うことができる。しかし、番号ラベルが散在し、紛失や脱落の問題が常に発生するため、使用上便利ではない。特に、１つのカバーに対して複数の番号ラベルが必要になるので、複数のカバーには複数組の番号ラベルを準備しなければならず、携帯に不便であり、これも大きな欠点である。
【課題を解決するための手段】
【０００５】
本考案は従来技術の課題に鑑み、複数の異なる数字や符号を備えるゴルフクラブヘッドカバーの番号表示器を提供する。ユーザーはこれにより、表示される番号を必要に応じて簡単に変更できる。
【０００６】
上記技術上の課題を解決するため、本考案は次のような技術案を採用する。ゴルフクラブヘッドカバー用スライド式番号表示器を設計し、ゴルフクラブヘッドカバーに連結される連接装置を含むケースを備えさせ、前記ケースは正面と裏面を有し、前記正面には番号表示窓が開口し、前記ケース内部に間欠的に回転できる円盤および円盤に連結されるスライド機構と逆止機構が設けられる。円盤上には複数の異なる番号が付され、各番号は円盤の周方向に分布させる。円盤が間欠的に回転するとき、円盤上の各番号は順番に１つずつケースの番号表示窓を通って表示される。
【０００７】
前記の実施形態によれば、円盤に連結されるスライド機構は、リセット可能なスライドレバー、および互いに嵌合するラチェットとラチェット輪を含む。スライドレバーの外側端はケース側面のスライド溝から伸出し、スライドレバーの内側端は連結ピンとラチェット上のピン穴により固定連結され、スライドレバーとラチェットからなる組立品は回転柱の周囲を回転し、スライドレバーには該回転柱が穿通できる回転柱用穴があり、スライドレバーとラチェットからなる組立品にはこれをリセットさせるための捩りバネが設けられ、この捩りバネの一端がラチェットの捩りバネ固定端に固定され、他方の一端がスライドレバーの回転柱に巻付けられ、ラチェット輪が円盤の中心に固定され、ラチェットと円盤との間に固定用隔板が設けられる。
【０００８】
前記円盤に連結される逆止機構は、周方向に固定された逆止輪を含み、この逆止輪の前端とケース正面との間にスプリングが設けられ、後端と前記ラチェット輪の前端との間は歯形構造により噛み合う。
【０００９】
前記ケースは前カバーと後カバーを組み合わせて構成され、番号表示窓が前カバーに設けられ、前カバーと後カバーとがネジで連結される。
【００１０】
前記ケース上にあってゴルフクラブヘッドカバーに連結される連接装置は、布片を穿通させてゴルフクラブのヘッドカバーに結び付けるための長孔である。
【００１１】
本考案は、複数の異なる数字や符号を一体化した番号表示器であって、ユーザーは表示する番号を必要に応じて簡単に変更でき、１つの番号表示器で複数の常用するクラブの番号を表示する機能を実現し、複数の識別標を携帯する煩雑さを解消し、使用が簡便である等有益な効果を達成できる。
【考案を実施するための最良の形態】
【００１２】
図１乃至図１２は、本考案のゴルフクラブヘッドカバー用スライド式番号表示器の第１の実施形態を示している。このゴルフクラブヘッドカバー用スライド式番号表示器はケースを備え、該ケースはネジ３で前カバー１と後カバー２を連結することにより構成される。ケースの頂部にはゴルフクラブのヘッドカバーに連結される連接装置４が設けられている。好ましくは、この連接装置４は長孔であって、布片をその長孔に通しゴルフクラブヘッドカバーに結び付けることにより連結する。ケースの前カバー１には番号表示窓５が設けられ、前記ケースの内部には間欠的に回転できる円盤６および円盤６に連結されるスライド機構と逆止機構があり、円盤６が回転軸に挿置され、その回転軸の周囲を回転する。前記スライド機構は、リセット可能なスライドレバー８、および互いに嵌合するラチェット９とラチェット輪１０を含む。スライドレバー８の外側端はケース側面のスライド溝１４から伸出し、スライドレバー８の内側端は連結ピン８１とラチェット９のピン穴９１により固定連結され、スライドレバー８とラチェット９からなる組立品は回転柱１５の周囲を回転し、スライドレバー８には回転柱１５が穿通できる回転柱用穴８２があり、その上にこれをリセットするための捩りバネが設けられ、この捩りバネの一端をラチェット９の捩りバネ固定端９２に固定し、他方の一端をスライドレバー８の回転柱１５に巻付け、ラチェット輪９を円盤６の中心穴１８に固定して、ラチェット９と円盤６との間に固定用隔板１１を設けている。前記逆止機構は、周方向に固定された逆止輪１２を含み、この逆止輪１２の前端とケース正面との間にスプリング１３が設けられ、逆止輪１２の後端と前記ラチェット輪１０の前端との間は歯形構造１２１および１０１により噛み合う。円盤６には複数の異なる番号７が付され、各番号７は円盤６の周方向に分布している。円盤６が間欠的に回転するとき、円盤上の各番号７は順番に１つずつケースの番号表示窓５を通って表示される。
【００１３】
開始状態では、スライドレバー８はケースのスライド溝１４の上端に位置している。スライドレバー８の外側端はスライド溝１４から伸出し、スライドレバー８とラチェット９からなる組立品にそれをリセットできる捩りバネが設けられ、かつ該捩りバネの一端がラチェット９に固定され、他方の一端がスライドレバー８の回転柱１５に巻付けられるため、スライドレバー８を下向きに移動させる場合、捩りバネのばね力を克服しなければならない。捩りバネのばね力を克服しスライドレバー８を下向きに移動させる過程で、ラチェット９はスライドレバー８と一緒に回転柱１５の周囲を回転し、同時にラチェット９とラチェット輪１０が噛み合って、ラチェット輪１０および円盤６の同期回転を帯動する。スライドレバー８がスライド溝１４の下端に移動すると、円盤６はちょうど次の番号を表示する位置まで回転し、このときスライドレバー８を放すと、ラチェット９は捩りバネのばね力により逆回転して最初の位置に戻り、スライドレバー８もスライド溝１４の上端に移動する。しかし、ラチェット９は逆回転する過程で、円盤上のラチェット輪１０と噛み合わず、その上をスライドし、同時に円盤６の前端に逆止輪１２が設けられているため、ラチェット９は逆回転時にラチェット輪１０上をスライドする際に、ラチェット輪１０および円盤６の逆回転を帯動しない。この逆止輪１２には突起ブロック１６が設けられ、該突起ブロック１６が前カバー１の内側にあるブロック溝１７内に挿入され、逆止輪１２の周方向における固定を維持している。該逆止輪１２の前端とケース正面との間にはスプリング１３が設けられ、後端と前記ラチェット輪１０の前端との間は歯形構造により噛み合っており、スプリング１３により逆止輪１２とラチェット輪１０の噛み合いの信頼性が維持される。以上の操作を繰り返して行えば、回転輪は毎回一定角度だけ回転し、番号を一つずつ表示できる。
【００１４】
以上は本考案の好ましい実施形態である。実際には、本分野の一般的な技術者であれば、本考案の主旨を逸脱しないことを前提として、若干の変更或いは改善を実現できる。これらの変更或いは改善の実施も本考案の保護対象である。
【図面の簡単な説明】
【００１５】
【図１】本考案における正面立体図である。
【図２】本考案における背面立体図である。
【図３】本考案におけるパーツ分解図である。
【図４】ケース前カバーの内側面の概略図である。
【図５】ケース後カバーの内側面の概略図である。
【図６】円盤の概略図である。
【図７】ラチェットの概略図である。
【図８】スライドレバーの概略図である。
【図９】逆止輪の正面概略図である。
【図１０】逆止輪の背面概略図である。
【図１１】ラチェット輪の正面概略図である。
【図１２】ラチェット輪の背面概略図である。
【符号の説明】
【００１６】
１  前カバー
２  後カバー
３  ネジ
４  連接装置
５  番号表示窓
６  円盤
７  番号
８  スライドレバー
９  ラチェット
１０  ラチェット輪
１１  固定用隔板
１２  逆止輪
１３  スプリング
１４  スライド溝
１５  回転柱
１６  突起ブロック
１７  ブロック溝
１８  中心穴
８１  連結ピン
８２  回転柱用穴
９１  ピン穴
９２  捩りバネ固定端
１２１，１０１  歯形構造
【図１】
0003135976.tif 000003
【図２】
0003135976.tif 000004
【図３】
0003135976.tif 000005
【図４】
0003135976.tif 000006
【図５】
0003135976.tif 000007
【図６】
0003135976.tif 000008
【図７】
0003135976.tif 000009
【図８】
0003135976.tif 000010
【図９】
0003135976.tif 000011
【図１０】
0003135976.tif 000012
【図１１】
0003135976.tif 000013
【図１２】
0003135976.tif 000014